(57)【要約】【課題】ユーザにとって効果的かつ効率的な健康情報項目を提示する。【解決手段】健康情報項目を測定するために必要となるユーザの負担を示す測定コスト情報と、健康情報項目を含む複数の組み合わせを取得し、前記測定コスト情報に基づいて、前記取得した組み合わせに含まれる健康情報項目ごとの測定コストを算出する測定コスト算出部と、前記取得された複数の組み合わせに含まれる健康情報項目ごとの前記測定結果に基づいて、前記健康情報項目に関する測定が前記ユーザの健康に寄与するかを示す健康度を算出する健康度算出部と、前記算出された測定コストと前記算出された健康度とに基づいて、前記取得された組み合わせごとの推奨スコアを算出する推奨スコア算出部と、前記ユーザに推奨する健康情報項目の組み合わせを、前記算出された推奨スコアに基づいて出力する提示部と、を有する。【選択図】図１
2016177569.tif 000002
【特許請求の範囲】
【請求項１】
情報を受け付ける情報管理システムであって、
プロセッサ、及び、記憶部と、
健康を示す指標である健康情報項目をユーザが測定するために必要となる前記ユーザの負担を示す測定コスト情報と、
前記健康情報項目ごとに前記ユーザによって測定された測定結果を受け付け、前記受け付けた測定結果を前記記憶部に登録する健康情報登録部と、
少なくとも一つの健康情報項目を含む健康情報項目の複数の組み合わせを取得し、前記測定コスト情報に基づいて、前記取得した組み合わせに含まれる健康情報項目ごとの測定コストを算出する測定コスト算出部と、
前記取得された複数の組み合わせに含まれる健康情報項目ごとの前記測定結果に基づいて、前記健康情報項目に関する測定が前記ユーザの健康に寄与するかを示す健康度を算出する健康度算出部と、
前記算出された測定コストと前記算出された健康度とに基づいて、前記取得された組み合わせごとの推奨スコアを算出する推奨スコア算出部と、
前記ユーザに推奨する健康情報項目の組み合わせを、前記算出された推奨スコアに基づいて出力する提示部と、を有することを特徴とする情報管理システム。
【請求項２】
請求項１に記載の情報管理システムであって、
前記複数の健康情報項目の優先度を受け付け、前記受け付けた優先度を前記記憶部に登録する優先度登録部と、
前記受け付けた優先度に基づいて前記健康情報項目の複数の組み合わせを生成する組み合わせ生成部と、をさらに有し、
前記測定コスト算出部は、前記生成された複数の組み合わせを取得することを特徴とする情報管理システム。
【請求項３】
請求項２に記載の情報管理システムであって、
前記組み合わせ生成部は、
第１の健康情報項目を含む第１の組み合わせを生成し、
前記生成した第１の組み合わせに、前記第１の健康情報項目より前記受け付けた優先度が低い第２の健康情報項目を加えることによって、第２の組み合わせを生成することを特徴とする情報管理システム。
【請求項４】
請求項１に記載の情報管理システムであって、
前記測定コスト算出部は、前記測定コスト情報に基づいて、前記健康情報項目を測定するために必要な測定時間、及び、前記健康情報項目を測定するために必要な金銭的コストの、少なくとも一つを用いて前記測定コストを算出することを特徴とする情報管理システム。
【請求項５】
請求項１に記載の情報管理システムであって、
前記記憶部は、前記組み合わせが推奨される対象ユーザの健康情報と、前記対象ユーザ以外の複数のユーザの健康情報とを格納し、
前記健康度算出部は、
前記対象ユーザの健康情報と、前記複数のユーザの健康情報とを、前記記憶部から取得し、
前記複数のユーザの健康情報に基づいて、前記健康情報項目ごとの測定結果の頻度分布を生成し、
前記頻度分布における前記対象ユーザの測定結果の位置に基づいて、前記健康度を算出することを特徴とする情報管理システム。
【請求項６】
請求項５に記載の情報管理システムであって、
前記健康度算出部は、
前記生成した頻度分布における基準を取得し、
前記頻度分布の中央値、前記頻度分布における前記対象ユーザの目標値の位置、及び、前記頻度分布における所定の範囲の境界値のいずれかを、前記頻度分布における基準として取得し、
前記取得した基準と、前記頻度分布における前記対象ユーザの測定結果の位置との差を、前記健康度として算出し、
パーセンタイル順位、マハラノビス距離、及び、標準偏差のいずれかを用いて、前記差を算出することを特徴とする情報管理システム。
【請求項７】
請求項１に記載の情報管理システムであって、
前記健康度算出部は、前記健康情報項目に予め定められた所定の重み、又は、前記ユーザの属性に従って定めた前記健康情報項目の重みに従って、前記健康度に重み付けをし、
前記推奨スコア算出部は、前記算出された測定コストと前記重み付けされた健康度とに基づいて、前記推奨スコアを算出することを特徴とする情報管理システム。
【請求項８】
請求項１に記載の情報管理システムであって、
前記測定結果を購入するデータ購入者が前記ユーザに提供するサービスの内容を受け付け、前記受け付けたサービスの内容を前記記憶部に登録するサービス登録部と、
前記登録された前記サービスの内容を、前記ユーザに提示するサービス提示部と、
前記データ購入者が購入する前記測定結果について、前記ユーザへ支払う報酬を決定する報酬決定部と、をさらに有することを特徴とする情報管理システム。
【請求項９】
請求項８に記載の情報管理システムであって、
前記測定コスト情報は、前記健康情報項目を測定するために必要な金銭的コストを示し、
前記報酬決定部は、前記健康情報項目に定められた測定結果の単価と、前記データ購入者が購入する測定結果の量とに基づいて、前記健康情報項目ごとの前記報酬を決定し、
前記測定コスト算出部は、前記金銭的コストと前記報酬とに基づいて、前記健康情報項目ごとの前記測定コストを算出することを特徴とする情報管理システム。
【請求項１０】
請求項９に記載の情報管理システムであって、
前記測定コスト算出部は、前記金銭的コストから前記報酬を減算した結果を、前記測定コストとして算出することを特徴とする情報管理システム。
【請求項１１】
情報を受け付ける情報管理システムによる情報管理方法であって、
前記情報管理システムは、プロセッサ、及び、記憶部を有し、
前記記憶部は、健康を示す指標である健康情報項目をユーザが測定するために必要となる前記ユーザの負担を示す測定コスト情報を保持し、
前記方法は、
前記プロセッサが、前記健康情報項目ごとに前記ユーザによって測定された測定結果を受け付け、前記受け付けた測定結果を前記記憶部に登録する健康情報登録手順と、
前記プロセッサが、少なくとも一つの健康情報項目を含む健康情報項目の複数の組み合わせを取得し、前記測定コスト情報に基づいて、前記取得した組み合わせに含まれる健康情報項目ごとの測定コストを算出する測定コスト算出手順と、
前記プロセッサが、前記取得された複数の組み合わせに含まれる健康情報項目ごとの前記測定結果に基づいて、前記健康情報項目に関する測定が前記ユーザの健康に寄与するかを示す健康度を算出する健康度算出手順と、
前記プロセッサが、前記算出された測定コストと前記算出された健康度とに基づいて、前記取得された組み合わせごとの推奨スコアを算出する推奨スコア算出手順と、
前記プロセッサが、前記ユーザに推奨する健康情報項目の組み合わせを、前記算出された推奨スコアに基づいて出力する提示手順と、を含むことを特徴とする情報管理方法。
【請求項１２】
請求項１１に記載の情報管理方法であって、
前記方法は、
前記プロセッサが、前記複数の健康情報項目の優先度を受け付け、前記受け付けた優先度を前記記憶部に登録する優先度登録手順と、
前記プロセッサが、前記受け付けた優先度に基づいて前記健康情報項目の複数の組み合わせを生成する組み合わせ生成手順と、をさらに含み、
前記測定コスト算出手順は、前記プロセッサが、前記生成された複数の組み合わせを取得する手順を含むことを特徴とする情報管理方法。
【請求項１３】
請求項１２に記載の情報管理方法であって、
前記組み合わせ生成手順は、
前記プロセッサが、第１の健康情報項目を含む第１の組み合わせを生成する手順と、
前記プロセッサが、前記生成した第１の組み合わせに、前記第１の健康情報項目より前記受け付けた優先度が低い第２の健康情報項目を加えることによって、第２の組み合わせを生成する手順と、を含むことを特徴とする情報管理方法。
【請求項１４】
請求項１１に記載の情報管理方法であって、
前記測定コスト算出手順は、前記プロセッサが、前記測定コスト情報に基づいて、前記健康情報項目を測定するために必要な測定時間、及び、前記健康情報項目を測定するために必要な金銭的コストの、少なくとも一つを用いて前記測定コストを算出する手順を含むことを特徴とする情報管理方法。
【請求項１５】
コンピュータが読み取り可能な記録媒体であって、
前記コンピュータは、
記憶部と、
健康を示す指標である健康情報項目をユーザが測定するために必要となる前記ユーザの負担を示す測定コスト情報と、を有し、
前記コンピュータに、
前記健康情報項目ごとに前記ユーザによって測定された測定結果を受け付け、前記受け付けた測定結果を前記記憶部に登録する健康情報登録手順と、
少なくとも一つの健康情報項目を含む健康情報項目の複数の組み合わせを取得し、前記測定コスト情報に基づいて、前記取得した組み合わせに含まれる健康情報項目ごとの測定コストを算出する測定コスト算出手順と、
前記取得された複数の組み合わせに含まれる健康情報項目ごとの前記測定結果に基づいて、前記健康情報項目に関する測定が前記ユーザの健康に寄与するかを示す健康度を算出する健康度算出手順と、
前記算出された測定コストと前記算出された健康度とに基づいて、前記取得された組み合わせごとの推奨スコアを算出する推奨スコア算出手順と、
前記ユーザに推奨する健康情報項目の組み合わせを、前記算出された推奨スコアに基づいて出力する提示手順と、を実行させるためのプログラムを記録したコンピュータ読み取り可能な記録媒体。
【発明の詳細な説明】
【技術分野】
【０００１】
本発明は、情報管理システム、情報管理方法、及び、記録媒体に関する。
【背景技術】
【０００２】
近年、家庭向けの健康関連計測機器が急速に普及している。従来から用いられる体重計、血圧計又は体温計等に加えて、リストバンド型の活動量計に代表されるいわゆるウェアラブル端末も小型化及び低価格化が進み、健康関連のデータの取得が容易になってきた。また、これらの計測機器以外にもスマートフォン又はタブレット端末を利用することで、食事のデータ及び睡眠のデータ等、様々な健康関連のデータを取得することが可能となってきている。
【０００３】
これらの健康関連のデータは、測定を継続することではじめて、体力向上及び疾病予防といった効果を得ることができるが、多くの種類の健康関連のデータを継続して測定することは容易なことではない。そのため、健康関連のデータの継続的な測定を支援するための技術が既に開示されている（例えば、特許文献１参照）。
【０００４】
特許文献１に開示された健康管理支援システム、運動支援システム、及び情報表示装置では、ユーザの運動の継続に対して効果的な動機を与えることができ、かつ、歩数等の行動情報及び体重等の身体情報を継続的に管理することを支援できる健康管理支援システムを提供することを目的として、複数のユーザに割り当てられ、各々が携帯可能な、ユーザの歩数を計測及び記録する複数の歩数計と、複数のユーザの体重を計測する体重計、及び、血圧を計測する血圧計と、複数の歩数計のうち、アクティブなものから当該歩数計の識別情報を受け付けて、その識別情報でログインを許可するカートリッジと、を備え、カートリッジは、ログイン後に、歩数計、体重計及び血圧計から、歩数、体重及び血圧を取得して、ログインを許可されたユーザの情報として記録するためのシステムである。この技術によって、ユーザの運動の継続に対して効果的な動機を与えることができ、かつ、歩数等の行動情報及び体重等の身体情報を継続的に管理することを支援できる。
【先行技術文献】
【特許文献】
【０００５】
【特許文献１】特開２０１０−２１１３９６号公報
【発明の概要】
【発明が解決しようとする課題】
【０００６】
しかしながら、ユーザごとに健康状態又は測定項目に対する思考が異なることが想定されるため、個々のユーザに適した測定項目を提案する方法が課題である。
【課題を解決するための手段】
【０００７】
上記課題を解決するために、本発明は、情報を受け付ける情報管理システムであって、プロセッサ、及び、記憶部と、健康を示す指標である健康情報項目をユーザが測定するために必要となる前記ユーザの負担を示す測定コスト情報と、前記健康情報項目ごとに前記ユーザによって測定された測定結果を受け付け、前記受け付けた測定結果を前記記憶部に登録する健康情報登録部と、少なくとも一つの健康情報項目を含む健康情報項目の複数の組み合わせを取得し、前記測定コスト情報に基づいて、前記取得した組み合わせに含まれる健康情報項目ごとの測定コストを算出する測定コスト算出部と、前記取得された複数の組み合わせに含まれる健康情報項目ごとの前記測定結果に基づいて、前記健康情報項目に関する測定が前記ユーザの健康に寄与するかを示す健康度を算出する健康度算出部と、前記算出された測定コストと前記算出された健康度とに基づいて、前記取得された組み合わせごとの推奨スコアを算出する推奨スコア算出部と、前記ユーザに推奨する健康情報項目の組み合わせを、前記算出された推奨スコアに基づいて出力する提示部と、を有する。
【発明の効果】
【０００８】
本発明によれば、ユーザにとって効果的かつ効率的な健康情報項目を選択及び決定することが容易となる。上記した以外の課題、構成及び効果は、以下の実施形態の説明により明らかにされる。
【図面の簡単な説明】
【０００９】
【図１】実施例１の健康情報管理システムの構成の例を示すブロック図である。
【図２】実施例１の健康情報管理システム及び通信端末による処理を示すシーケンス図である。
【図３】実施例１の優先順位登録画面の例を示す説明図である。
【図４Ａ】実施例１の登録者情報テーブルを示す説明図である。
【図４Ｂ】実施例１の測定情報テーブルを示す説明図である。
【図５Ａ】実施例１の優先度情報テーブルを示す説明図である。
【図５Ｂ】実施例１の測定コストテーブルを示す説明図である。
【図６】実施例１の演算部が推奨する健康情報項目の組み合わせを出力する処理を示すフローチャートである。
【図７】実施例１の健康情報項目の組み合わせを推奨する画面の例を示す説明図である。
【図８】実施例１の推奨スコアを算出する処理を示すフローチャートである。
【図９】実施例２の健康情報管理システム及び通信端末による処理を示すシーケンス図である。
【図１０】実施例２のデータ購入者がサービス登録部へ提案サービスを登録するための画面を示す説明図である。
【発明を実施するための形態】
【００１０】
以下、自身の健康状態を測定した結果の測定値を健康情報管理システムへ登録するデータ登録者に対して、様々な健康関連サービスを提供するための健康情報管理システムにおいて本発明を実施するための形態を、図面を用いて詳細に説明する。
【実施例１】
【００１１】
以下に、実施例１の健康情報管理システムの構成、データの流れ、健康情報管理システムの内部処理、及び、これらによって実現できるサービス例を詳細に説明する。
【００１２】
図１は、実施例１の健康情報管理システム１０１の構成の例を示すブロック図である。
【００１３】
健康情報管理システム１０１は、データ登録者が使用する通信端末１０２と、インターネット等のネットワーク１０３を介して通信する。なお、以下において、データ登録者は、自らの健康情報を測定する測定者と同一であり、健康情報管理システムのユーザである。
【００１４】
しかし、測定者とデータ登録者とが異なっていても良く、異なる場合、以下においてデータ登録者に割り当てられたＩＤと測定者に割り当てられたＩＤとは同一である。
【００１５】
通信端末１０２は、データ登録者が用いる装置であり、入力装置及び出力装置を備える。入力装置は、キーボード及びマウスであっても良く、出力装置は、ディスプレイ及びプリンタであっても良い。また、入力装置及び出力装置は、タブレット端末であっても良い。
【００１６】
健康情報管理システム１０１は、健康情報登録部１０４、優先順位登録部１０５、健康情報項目提示部１１２、保存部１０６、演算部１０７、報酬決定部１１５及びサービス提示部１１４の機能部を有する。
【００１７】
なお、本実施例の健康情報管理システム１０１は、図１に示す報酬決定部１１５及びサービス提示部１１４を有しても良いが、実施例１の健康情報管理システム１０１は、報酬決定部１１５及びサービス提示部１１４を有しなくても良い。報酬決定部１１５及びサービス提示部１１４は、実施例２の健康情報管理システム１０１における処理を実行する。
【００１８】
健康情報登録部１０４、優先順位登録部１０５、健康情報項目提示部１１２、保存部１０６、演算部１０７、報酬決定部１１５及びサービス提示部１１４は、プロセッサ及びメモリを有する計算機、又は、集積回路等の物理的な装置であっても良いし、プログラムの実行によって実装される機能部であっても良い。
【００１９】
健康情報管理システム１０１の各機能がプログラムによって実装される場合、各機能を実行するプログラムは、リムーバブルメディア（ＣＤ−ＲＯＭ、フラッシュメモリなど）又はネットワークを介して健康情報管理システム１０１に提供される。そして、提供されたプログラムは、健康情報管理システム１０１のプログラムがアクセスできる非一時的記憶媒体の補助記憶装置に格納される。このため、健康情報管理システム１０１は、リムーバブルメディアからデータを読み込むインターフェイスを有しても良い。
【００２０】
健康情報管理システム１０１は、物理的に一つの計算機上で、又は、論理的又は物理的に複数の計算機上で構成される計算機システムであり、前述したプログラムは、同一の計算機上で異なるスレッドで動作してもよく、複数の物理的計算機資源上に構築された仮想計算機上で動作してもよい。
【００２１】
また、健康情報管理システム１０１は、すべての機能を実現するための一つのプログラムを有しても良く、一つの機能を実現するために複数のプログラムを有しても良い。
【００２２】
健康情報管理システム１０１は、プロセッサ、メモリ、補助記憶装置及びネットワークインタフェースを有する。プロセッサがメモリに格納されたプログラムを実行することによって、健康情報管理システム１０１の機能を実現する。
【００２３】
健康情報管理システム１０１のメモリは、不揮発性の記憶素子であるＲＯＭ及び揮発性の記憶素子であるＲＡＭを含む。ＲＯＭは、不変のプログラム（例えば、ＢＩＯＳ）などを格納する。ＲＡＭは、ＤＲＡＭ（Dynamic Random Access Memory）のような高速かつ揮発性の記憶素子であり、補助記憶装置に格納されたプログラム及びプログラムの実行時に使用されるデータを一時的に格納する。
【００２４】
健康情報管理システム１０１の補助記憶装置は、例えば、磁気記憶装置（ＨＤＤ）、フラッシュメモリ（ＳＳＤ）等の大容量かつ不揮発性の記憶装置である。また、補助記憶装置は、演算部１０７が実行するプログラム及びプログラムの実行時に使用されるデータを格納する。すなわち、プログラムは、補助記憶装置から読み出されて、メモリにロードされて、プロセッサによって実行される。
【００２５】
健康情報管理システム１０１のネットワークインタフェースは、所定のプロトコルに従って、通信端末１０２と通信するためのネットワークインタフェース装置である。
【００２６】
健康情報登録部１０４は、データ登録者によって測定された健康情報を受け付け、受け付けた健康情報を登録する機能を有する。
【００２７】
優先順位登録部１０５は、データ登録者によって決定される健康情報項目の優先度を受け付ける。健康情報登録部１０４及び優先順位登録部１０５は、受け付けたデータを保存部１０６に格納することによって、データを登録する。
【００２８】
保存部１０６は、健康情報管理システム１０１の補助記憶装置によって実装される。また、保存部１０６に格納されるデータ及びプログラムが、健康情報管理システム１０１のメモリに一次的に格納される。
【００２９】
保存部１０６は、登録者情報テーブル４００、測定情報テーブル４１０、優先度情報テーブル５００、及び、測定コストテーブル５１０を含む。登録者情報テーブル４００、測定情報テーブル４１０、優先度情報テーブル５００、及び、測定コストテーブル５１０の詳細は後述する。
【００３０】
演算部１０７は、保存部１０６に保存されるデータを入力値として取得し、データ登録者に提示する健康情報項目の組み合わせを出力する。演算部１０７は、プロセッサ及びメモリを有する。演算部１０７のプロセッサは、保存部１０６に格納されるプログラムを実行することによって、健康情報管理システム１０１の機能を実現する。
【００３１】
演算部１０７は、健康情報項目群生成部１０８、測定コスト算出部１０９、健康度算出部１１０及び推奨スコア算出部１１１の機能を実現する。
【００３２】
健康情報項目提示部１１２は、演算部１０７の出力結果である、推奨される健康情報項目の組み合わせをデータ登録者に提示する。
【００３３】
実施例１の健康情報管理システム１０１は、健康情報登録部１０４、保存部１０６、測定コスト算出部１０９、健康度算出部１１０、推奨スコア算出部１１１及び健康情報項目提示部１１２を少なくとも有する。実施例１の健康情報管理システム１０１は、健康情報項目の優先度を保存部１０６にあらかじめ保持しても良い。
【００３４】
図２は、実施例１の健康情報管理システム１０１及び通信端末１０２による処理を示すシーケンス図である。
【００３５】
健康情報管理システム１０１を利用するユーザは、多数のデータ登録者へサービスを提供するサービサーであり、例えば、企業、自治体及び非営利団体等が想定される。
【００３６】
一方、通信端末１０２を利用するユーザは、多数のデータ登録者である。データ登録者はいわゆる一般消費者であり、日々の生活の中で自身の健康管理を目的として様々な健康情報を測定し、取得する。データ登録者は、取得した健康情報を管理しても良いが、健康情報管理システム１０１のようなサービスを利用することで、データのバックアップ及び可視化、並びに、測定する健康情報項目の提案など、様々なメリットを享受することができる。
【００３７】
なお、以下に示す実施例１の前提として、少なくとも一人のデータ登録者は、健康情報管理システム１０１によって提供される一連のサービスの会員登録を済ませており、データ登録者には、後述するデータ登録者ＩＤが既に割り当てられている。
【００３８】
まず、データ登録者は、健康情報管理システム１０１へ通信端末１０２を介してログインし（Ｓ２０１）、健康情報管理システム１０１は、データ登録者を認証する（Ｓ２０２）。健康情報管理システム１０１は、既存のいかなる方法によってデータ登録者を認証しても良い。
【００３９】
シーケンスＳ２０２の後、データ登録者は、測定結果である健康情報を入力し、健康情報登録部１０４は、データ登録者によって入力された健康情報を受け付ける（Ｓ２０３）。健康情報登録部１０４は、受け付けた健康情報を保存部１０６に保存することにより、健康情報を登録する（Ｓ２０４）。
【００４０】
シーケンスＳ２０４の後、健康情報登録部１０４は、健康情報に関する情報を、通信端末１０２を介してデータ登録者に提示する（Ｓ２０５）。具体的には、健康情報登録部１０４は、過去に登録した健康情報の推移、又は、会員（データ登録者）間における自身の健康情報の位置を出力する。また、健康情報登録部１０４は、データ登録者が目標値を設定している場合、目標値と測定値との差など、データ登録者のモチベーション向上に繋がるような情報を提示しても良い。
【００４１】
シーケンスＳ２０１〜Ｓ２０４は、データ登録者からデータ登録の指示があった場合に行われ、例えば、毎日行われる。健康情報管理システム１０１は、シーケンスＳ２０１〜Ｓ２０４に示す健康情報管理システム１０１の利用の利用率が所定の閾値よりも下がったタイミング、又は、定期的なタイミングにおいてシーケンスＳ２０５を実行する。これによって、測定している健康情報項目の見直しをデータ登録者に促しても良い。そして、これによって、健康情報管理システム１０１は、データ登録者（測定者）のモチベーションを向上させることができる。
【００４２】
しかし、データ登録者は、多くの種類の健康情報項目の中から、データ登録者自身に適した健康情報項目、及び、測定することによってデータ登録者自身にメリットがある健康情報項目を判断することは困難である。そこで、実施例１の健康情報管理システム１０１は、以下に示す処理によって、データ登録者に適した健康情報項目を、データ登録者に提示する。
【００４３】
まず、健康情報登録部１０４は、前述の利用率が所定の閾値よりも下がったタイミング、又は、定期的なタイミングなどの適切なタイミングにおいて、データ登録者へ健康情報項目の選択に関するアドバイス画面を提示する（Ｓ２０６）。
【００４４】
健康情報登録部１０４は、アドバイス画面を用いて、健康情報項目の見直しをするか否かのデータ登録者の意志を確認しても良いし、過去に登録された健康情報の実績を提示することで健康情報項目の見直しを促しても良い。次に、優先順位登録部１０５は、データ登録者によって入力された健康情報項目の優先度を受け付け、受け付けた優先度を保存部１０６に格納することによって登録する（Ｓ２０７）。
【００４５】
本実施例の優先度とは、データ登録者が興味のある測定機器によって測定される健康情報項目、又は、データ登録者が気になっている健康情報項目など、データ登録者が推奨スコアを参照したい健康情報項目の順位である。本実施例の優先度は、データ登録者が自由な視点で決定する。また、以下に示す優先度は、値が正数であり、値が小さいほど、データ登録者が優先して推奨スコアを参照したいことを示す。
【００４６】
図３は、実施例１の優先順位登録画面３００の例を示す説明図である。
【００４７】
優先順位登録部１０５は、シーケンスＳ２０７において、優先順位登録画面３００を通信端末１０２の出力装置に表示する。優先順位登録画面３００は、健康情報項目の優先度を受け付けるためのインターフェイスであり、優先度を入力するための入力フォームを有する。優先度を入力するための領域は、例えば、図３に示すプルダウンメニュー３０１である。
【００４８】
データ登録者は、シーケンスＳ２０７において、優先順位登録画面３００のプルダウンメニュー３０１を用いて、健康情報項目の優先度を登録する。
【００４９】
シーケンスＳ２０７の後、健康情報管理システム１０１の演算部１０７は、登録された健康情報項目の優先度に基づいて、推奨する健康情報項目の組み合わせをデータ登録者に提示する（Ｓ２０８）。
【００５０】
以下において、演算部１０７による処理を、データのテーブル構造及び推奨スコアの演算処理フローを用いて詳細に説明する。
【００５１】
まず、データのテーブル構造について図４Ａ、図４Ｂ、図５Ａ及び図５Ｂを用いて説明する。
【００５２】
図４Ａは、実施例１の登録者情報テーブル４００を示す説明図である。
【００５３】
登録者情報テーブル４００は、データ登録者に関する情報を保持するためのテーブルである。登録者情報テーブル４００は、データ登録者ＩＤ４０１、姓４０２、名４０３、性別４０４、生年月日４０５、ログインネーム４０６、パスワード４０７、及び、目標体重４０８を含む。
【００５４】
データ登録者ＩＤ４０１は、データ登録者を一意に示すＩＤを格納する。姓４０２、及び、名４０３は、データ登録者の姓名を格納する。性別４０４は、データ登録者の性別を格納する。生年月日４０５は、データ登録者の生年月日を格納する。
【００５５】
ログインネーム４０６は、データ登録者がサービス利用開始時に示すログインネーム、又は、割り当てられるログインネームを格納する。パスワード４０７は、データ登録者を認証するためのパスワードを格納する。健康情報登録部１０４は、シーケンスＳ２０１において、ログインネーム４０６及びパスワード４０７を用いて、データ登録者を認証する。
【００５６】
目標体重４０８は、データ登録者によって入力される目標体重を格納する。登録者情報テーブル４００は、血圧及び活動量等の目標値を格納するフィールドを含んでも良い。
【００５７】
登録者情報テーブル４００は、データ登録者が健康情報管理システム１０１により提供されるサービスを受け始める際に、健康情報管理システム１０１に登録されるデータを含む。このため、登録者情報テーブル４００は、データ登録者に関する情報であればいかなる情報を含んでも良い。例えば、登録者情報テーブル４００は、居住地の住所、病歴、及び、職業等のデータ登録者の属性を含んでも良い。
【００５８】
図４Ｂは、実施例１の測定情報テーブル４１０を示す説明図である。
【００５９】
測定情報テーブル４１０は、データ登録者が測定し健康情報管理システム１０１へ登録した健康情報の測定値を格納するためのテーブルである。測定情報テーブル４１０は、測定情報ＩＤ４１１、データ登録者ＩＤ４１２、登録日４１３、体重４１４、血圧４１５、体温４１６及びＳｐＯ２（４１７）を含む。
【００６０】
測定情報ＩＤ４１１は、測定情報を一意に示すＩＤを格納する。データ登録者ＩＤ４１２は、データ登録者を一意に示すＩＤを格納し、登録者情報テーブル４００のデータ登録者ＩＤ４０１とリレーション関係にある。
【００６１】
登録日４１３は、測定情報ＩＤ４１１が示す測定情報が登録された年月日を格納する。登録日４１３は、時刻又は曜日等を格納しても良い。
【００６２】
体重４１４、血圧４１５、体温４１６、及び、ＳｐＯ２（酸素飽和度）４１７は、体重、血圧、体温、及び、ＳｐＯ２の健康情報項目に関するデータ登録者の測定値を格納し、健康情報項目の測定値を格納する。測定情報テーブル４１０は、体重、血圧、体温及びＳｐＯ２以外の図示しない健康情報項目の測定値を含んでも良い。
【００６３】
図５Ａは、実施例１の優先度情報テーブル５００を示す説明図である。
【００６４】
優先度情報テーブル５００は、データ登録者が優先順位登録画面３００を用いて登録した複数の健康情報項目の優先度を示す優先度情報を格納する。優先度情報テーブル５００は、優先度情報ＩＤ５０１、データ登録者ＩＤ５０２、登録日５０３、体重５０４、血圧５０５、体温５０６、及び、ＳｐＯ２（５０７）を含む。
【００６５】
優先度情報ＩＤ５０１は、優先度情報を一意に示すＩＤを格納する。データ登録者ＩＤ５０２は、データ登録者を一意に示すＩＤを格納し、データ登録者ＩＤ４０１とリレーション関係にある。
【００６６】
登録日５０３は、優先度情報が登録された年月日を格納する。登録日５０３は、時刻又は曜日等を格納しても良い。
【００６７】
体重５０４、血圧５０５、体温５０６及びＳｐＯ２（５０７）は、体重、血圧、体温及びＳｐＯ２の健康情報項目について登録された優先度を各々格納する。優先度情報テーブル５００は、体重、血圧、体温及びＳｐＯ２以外の図示しない健康情報項目の優先度について格納しても良い。
【００６８】
なお、測定情報テーブル４１０と優先度情報テーブル５００とが有する健康情報項目の情報は、一致する。
【００６９】
図５Ｂは、実施例１の測定コストテーブル５１０を示す説明図である。
【００７０】
測定コストテーブル５１０は、健康情報項目ごとの測定コストを管理するためのテーブルである。本実施例における測定コストは、健康情報項目を測定するためにデータ登録者にかかる負担を示す。測定コストテーブル５１０は、健康情報項目名５１１、測定時間５１２及びランニングコスト５１３を含む。
【００７１】
健康情報項目名５１１は、健康情報項目を一意に示す。健康情報項目名５１１は、体重、血圧、体温及びＳｐＯ２以外の図示しない健康情報項目を示しても良い。
【００７２】
測定時間５１２は、健康情報項目名５１１が示す健康情報項目を測定するために要する時間を示す。ランニングコスト５１３は、健康情報項目名５１１が示す健康情報項目を測定するために要する金銭的コストを示す。
【００７３】
本実施例の金銭的コストとは、測定機器の本体価格、メンテナンス料、及び、電池代など、測定機器の設置及び維持に必要となる費用の総額である。本実施例の測定コストは、測定時間５１２及びランニングコスト５１３の総称である。
【００７４】
健康情報管理システム１０１の運用者又は管理者等（以下、運用者等）は、健康情報管理システム１０１に測定コストを予め入力しておいても良い。また、データ登録者が、図示しない設定画面を用いてあらかじめ入力されていた測定コストをカスタマイズしても良い。データ登録者が測定コストをカスタマイズする場合、測定コストテーブル５１０は、データ登録者ＩＤごとに測定コストを保持しても良い。
【００７５】
次に、演算部１０７が、保存部１０６に格納される前述の各情報を用いて、推奨スコアを算出する処理について説明する。
【００７６】
図６は、実施例１の演算部１０７が推奨する健康情報項目の組み合わせを出力する処理を示すフローチャートである。
【００７７】
まず、健康情報項目群生成部１０８は、保存部１０６の優先度情報テーブル５００から、健康情報項目の組み合わせを推奨する対象のデータ登録者（以下、対象登録者）が登録した、複数の健康情報項目の優先度を取得する（Ｓ６０１）。具体的には、健康情報項目群生成部１０８は、優先度情報テーブル５００のデータ登録者ＩＤ５５０２が対象登録者を示すエントリから、複数の健康情報項目の優先度を取得する。
【００７８】
以降の説明のために、対象登録者が登録した健康情報項目の優先度の個数をｎ個とする。
【００７９】
ステップＳ６０１の後、健康情報項目群生成部１０８は、健康情報項目の複数の組み合わせを生成する。具体的には、健康情報項目群生成部１０８は、取得した優先度の中で最も高い優先度の健康情報項目を特定し、特定した健康情報項目を１番目の健康情報項目の組み合わせに定める。そして、健康情報項目群生成部１０８は、１番目の健康情報項目の組み合わせに優先度が２番目に高い健康情報項目を加えた組み合わせを、２番目の健康情報項目の組み合わせとして生成する。
【００８０】
このように、健康情報項目群生成部１０８は、前に生成した組み合わせ（第１の組み合わせ）に、第１の組み合わせに含まれる健康情報項目の中で最も低い優先度の健康情報項目よりさらに一つ優先度が低い健康情報項目を加えることによって、健康情報項目の組み合わせ（第２の組み合わせ）を生成する。
【００８１】
そして、健康情報項目群生成部１０８は、一つの組み合わせに含まれる健康情報項目の数を一つずつ増加させ、かつ、含まれる健康情報項目の最も低い優先度を一つずつ下げながら、健康情報項目の複数の組み合わせを生成し、生成した複数の組み合わせを保存部１０６に格納する（Ｓ６０２）。ステップＳ６０２において、健康情報項目群生成部１０８は、優先度の個数の健康情報項目の組み合わせを生成するため、健康情報項目の組み合わせの数はｎ組であり、ｎ番目の組み合わせまで生成する。
【００８２】
健康情報項目群生成部１０８が優先度に従って健康情報項目の複数の組み合わせを生成することによって、ユーザが持つ健康情報項目に対する興味及び印象等の考えに基づいて、推奨する健康情報項目の組み合わせの候補を生成することができる。この結果、推奨スコア算出部１１１は、ユーザの考えに基づいて、推奨スコアを算出できる。
【００８３】
また、健康情報項目群生成部１０８が一つの組み合わせに含まれる健康情報項目の数を一つずつ増加させながら組み合わせを生成することによって、推奨スコア算出部１１１は、後述の推奨スコアの算出において、優先度が高い健康情報項目についての評価を優先的に推奨スコアに反映することができる。そして、データ登録者は、自らが入力した優先度に従って健康情報項目の推奨スコアを評価することができる。
【００８４】
なお、運用者等は、健康情報項目の組み合わせをあらかじめ保存部１０６に格納しておいても良く、測定コスト算出部１０９は、後述のステップＳ６０３において、保存部１０６から健康情報項目の組み合わせを取得しても良い。
【００８５】
ステップＳ６０２の後、測定コスト算出部１０９は、健康情報項目の複数の組み合わせ（ｎ組）を保存部１０６から取得し、健康情報項目の組み合わせごとに、測定コストの総和を算出する（Ｓ６０３）。具体的には、測定コスト算出部１０９は、健康情報項目の組み合わせに含まれるすべての健康情報項目の測定コストの総和を算出する。
【００８６】
測定コスト算出部１０９は、健康情報項目の測定コストを、測定コストテーブル５１０から取得する。測定コスト算出部１０９は、測定時間５１２の値及びランニングコスト５１３の値の少なくとも一つを、一つの健康情報項目の測定コストとして取得する。
【００８７】
また、測定コスト算出部１０９は、例えば、測定時間５１２の値及びランニングコスト５１３の値の少なくとも一つに所定の係数を乗じて正規化し、正規化後の測定時間５１２の値及びランニングコスト５１３の値の合計値を、一つの健康情報項目の測定コストとして取得しても良い。
【００８８】
測定コスト算出部１０９は、ステップＳ６０３において測定コストテーブル５１０に基づいて測定コストを算出することによって、健康情報項目を測定した際にかかるデータ登録者の負担を、健康情報項目の組み合わせをするかを決定するための推奨スコアに反映することができる。
【００８９】
以下に示す実施例１において、測定コスト算出部１０９は、測定時間５１２のみを測定コストとして取得する。
【００９０】
ステップＳ６０３の後、推奨スコア算出部１１１は、全ての健康情報項目の組み合わせについて推奨スコアを算出する。具体的には、推奨スコア算出部１１１は、ステップＳ６０３の後、引数ｉを１に初期化する。引数ｉは、組み合わせを一意に指定するための引数である。
【００９１】
そして、推奨スコア算出部１１１は、ｉ番目（１番目）の健康情報項目の組み合わせについて、推奨スコアＳｉを算出する（Ｓ６０４）。なお、ステップＳ６０４については図８を用いて後述し、推奨スコア算出部１１１は、ステップＳ６０４において、健康度算出部１１０を起動する。
【００９２】
ステップＳ６０４の後、推奨スコア算出部１１１は、推奨スコアＳｉをｎ個算出したか、すなわち、健康情報項目のｎ個の組み合わせのすべてに推奨スコアＳを算出したかを判定する（Ｓ６０５）。
【００９３】
推奨スコアＳｉをｎ個算出していない場合、推奨スコア算出部１１１は、引数ｉに１を加算し、ステップＳ６０４においてｉ番目の健康情報項目の組み合わせについて、推奨スコアＳｉを算出する。なお、推奨スコア算出部１１１は、算出した推奨スコアＳｉと健康情報項目の組み合わせとを、保存部１０６に格納しても良い。
【００９４】
推奨スコアＳｉをｎ個算出した場合、健康情報項目提示部１１２は、健康情報項目のｎ個の組み合わせと推奨スコアＳｉとに基づいて、健康情報項目の組み合わせを推奨するためのデータを生成し、生成したデータを通信端末１０２に向けて出力する（Ｓ６０６）。ステップＳ６０６において、健康情報項目提示部１１２は、例えば、健康情報項目の組み合わせと推奨スコアとを提示するデータを生成することによって、推奨する健康情報項目の組み合わせを提示してもよい。
【００９５】
ステップＳ６０６の後、図６に示す処理を終了する。
【００９６】
図７は、実施例１の健康情報項目の組み合わせを推奨する画面８００の例を示す説明図である。
【００９７】
本実施例において、算出された推奨スコアＳが大きいほど健康情報項目の組み合わせは、データ登録者へ強く推奨される。健康情報項目提示部１１２は、例えば、図７に示す画面８００を通信端末１０２に表示させることによって、推奨する健康情報項目の組み合わせをデータ登録者に提示する。
【００９８】
画面８００は、領域８０１及び領域８０２を含む。領域８０１は、健康情報項目の組み合わせを示し、領域８０２は、算出された推奨スコアＳを示す。健康情報項目提示部１１２は、推奨スコアＳの値の高い順に健康情報項目の組み合わせを、通信端末１０２に表示させても良い。
【００９９】
また、健康情報項目提示部１１２は、推奨スコアＳが所定の閾値より高い健康情報項目の組み合わせを表示するためのデータを、通信端末１０２に向けて出力しても良い。健康情報項目提示部１１２は、推奨スコアＳに基づいて健康情報項目の組み合わせを推奨できれば、いかなる方法によって健康情報項目の組み合わせを出力しても良い。
【０１００】
データ登録者は、画面８００において提示された情報に基づいて、測定する健康情報項目の見直しをすることができる。
【０１０１】
次に、ステップＳ６０４の処理の詳細を説明する。
【０１０２】
図８は、実施例１の推奨スコアを算出する処理を示すフローチャートである。
【０１０３】
図８に示す処理は、ステップＳ６０４の処理に相当する。ステップＳ６０４が開始された場合、推奨スコア算出部１１１は、健康度算出部１１０を起動する。健康度算出部１１０は、ｉ番目の健康情報項目の組み合わせＣｉを、ステップＳ６０２において生成した組み合わせ、又は、あらかじめ保存部１０６に格納される組み合わせから取得する（Ｓ６０４１）。
【０１０４】
例えば、引数ｉが２であり、かつ、対象登録者が登録した健康情報項目の優先度が図５に示すように「体重：１、ＳｐＯ２：２、体温：３、血圧：４」であった場合、健康情報項目の組み合わせＣ２は、「体重、ＳｐＯ２」である。これは、２番目の健康情報項目の組み合わせＣ２は、優先度の高い方から二つの健康情報項目を含むためである。このため、健康度算出部１１０は、「体重とＳｐＯ２」を健康情報項目の組み合わせＣ２として取得する。
【０１０５】
ステップＳ６０４１の後、健康度算出部１１０は、取得した組み合わせＣｉに含まれる健康情報項目の測定コストの総和ＴＣを、ステップＳ６０３において算出された総和から取得する（Ｓ６０４２）。例えば、取得した組み合わせが「体重とＳｐＯ２」である場合、測定コスト算出部１０９は、ステップＳ６０３において、測定コストテーブル５１０の測定時間５１２から、健康情報項目が「体重」である測定コスト（２０秒）と、「ＳｐＯ２」である測定コスト（５秒）とを特定し、特定した測定コストの総和（２０＋５＝２５（秒））ＴＣを算出する。
【０１０６】
ステップＳ６０４２の後、健康度算出部１１０は、それぞれの健康情報項目について健康度Ｈを算出する。健康度Ｈは、目標となる健康状態と現在の健康状態との差を示す指標である。
【０１０７】
具体的には、健康度算出部１１０は、ステップＳ６０４２の後、引数ｊを１に初期化する。引数ｊは、組み合わせＣｉに含まれる健康情報項目を指定するための引数である。
【０１０８】
そして、健康度算出部１１０は、組み合わせＣｉの中でｊ番目の健康情報項目について、健康度Ｈを算出する（Ｓ６０４３）。以下において、ｊ番目の健康情報項目が体重である場合の健康度Ｈの算出方法を説明する。
【０１０９】
健康度算出部１１０は、健康度Ｈを算出するために、対象登録者以外の全部又は一部のデータ登録者（以下、説明のために「特定集団」と呼称する）の測定情報テーブル４１０に格納される健康情報を取得する。
【０１１０】
健康度算出部１１０は、例えば、登録者情報テーブル４００の生年月日４０５及び性別４０４に基づいて、対象登録者の同世代かつ同性のデータ登録者を特定集団として抽出しても良い。そして、健康度算出部１１０は、データ登録者ＩＤ４１２が特定集団と一致する測定情報テーブル４１０のエントリから、体重４１４の体重データを抽出しても良い。そして、健康度算出部１１０は、抽出した特定集団の体重データに基づいて、特定集団の体重の頻度分布を生成する。
【０１１１】
対象登録者の体重の測定値がＷｘであり、生成された頻度分布における対象登録者の測定値のパーセンタイル順位がＯｘであった場合を以下に示す。
【０１１２】
パーセンタイル順位Ｏｘの健康度合いを評価するため、健康度算出部１１０は、データ登録者ごとの目標値（基準値１）、正常範囲の境界値（基準値２）、及び、特定集団の中央値（基準値３）のいずれかのような基準値を用いる。
【０１１３】
健康度算出部１１０は、以下に示す説明では基準値１を用いるが、例えば、登録者情報テーブル４００に目標値（目標体重４０８）が格納される場合、基準値１を用いることを決定しても良い。また、健康度算出部１１０は、血圧又は腹囲など、医学的に定義された正常範囲の境界値をあらかじめ保持している場合、基準値２を用いることを決定しても良い。また、健康度算出部１１０は、登録者情報テーブル４００に目標値が設定されておらず、かつ、医学的に定義された正常範囲の境界値を保持していない場合、基準値３を用いることを決定しても良い。
【０１１４】
健康度算出部１１０は、対象登録者の体重の基準値１（目標体重）がＷｇであり、特定集団の体重の頻度分布における基準値１（目標体重）のパーセンタイル順位がＯｇである場合の、体重の健康度Ｈｗを、以下の式（１）によって算出する。
Ｈｗ＝｜Ｏｘ−Ｏｇ｜        ・・・式（１）
【０１１５】
算出された健康度Ｈｗが大きければ大きいほど、基準値と測定値との位置の差が大きいため、その健康情報項目は、対象登録者にとって測定値の改善に取り組むべき健康情報項目である。さらに、対象登録者が、健康度Ｈｗが高い健康情報項目を毎日測定することで、この健康情報項目に対する意識が高まり、測定値の改善が期待でき、対象登録者の健康に寄与する。
【０１１６】
健康度算出部１１０が特定集団の頻度分布における対象登録者の測定値の位置に基づいて健康度Ｈを算出することによって、推奨スコア算出部１１１は、対象登録者の現在の健康状態に従った推奨スコアを算出でき、健康情報項目の組み合わせをより適切に推奨できる。
【０１１７】
また、健康度算出部１１０が特定集団の頻度分布における基準値と測定値との位置の差に基づいて健康度Ｈを算出することによって、推奨スコア算出部１１１は、目標とする健康状態と対象登録者の現在の健康状態との差に従って推奨スコアを算出できる。そして、推奨スコア算出部１１１は、健康情報項目の組み合わせをより適切に推奨できる。
【０１１８】
ステップＳ６０４３の後、健康度算出部１１０は、ステップＳ６０４１において取得した組み合わせＣｉに含まれる健康情報項目のすべての健康度Ｈを算出したかを判定する（Ｓ６０４４）。組み合わせＣｉに含まれる健康情報項目の中で、健康度を算出していない健康情報項目がある場合、健康度算出部１１０は、引数ｊに１を加算し、ステップＳ６０４３に戻る。
【０１１９】
組み合わせＣｉに含まれる健康情報項目のすべての健康度Ｈを算出した場合、健康度算出部１１０は、組み合わせＣｉに含まれる健康情報項目の健康度Ｈの総和を算出する。そして、推奨スコア算出部１１１は、測定コストの総和ＴＣの逆数と、健康度Ｈの総和とを乗じることによって、推奨スコアＳｉを算出する（Ｓ６０４５）。
【０１２０】
なお、前述のステップＳ６０４３において、健康度算出部１１０は、パーセンタイル順位を用いて健康度Ｈを算出したが、頻度分布における順位を算出する指標としてパーセンタイル順位の代わりにマハラノビス距離及び標準偏差のいずれかを用いても良い。
【０１２１】
また、健康情報項目の種類によって健康に対する寄与の大きさが異なることも考えられる。例えば、体重及び血圧を正常範囲に入るようにコントロールすることは、対象登録者の健康増進に大きく寄与すると考えられる。
【０１２２】
このため、健康度算出部１１０は、ステップＳ６０４５において健康度Ｈの総和を算出する際、健康に対する寄与が大きい健康情報項目の健康度Ｈに、他の健康情報項目よりも重い重みを乗じても良い。さらに、健康度算出部１１０は、対象登録者が、体重の健康度Ｈが所定の閾値よりも大きくダイエットした方が良いと判定する場合、又は、血圧の健康度Ｈが所定の閾値よりも大きく血圧をコントロールした方が良いと判定する場合など、対象登録者の健康度Ｈに従って健康度Ｈに乗じる重みを設定しても良い。
【０１２３】
また、健康度算出部１１０は、対象登録者の性別４０４及び生年月日４０５等の対象登録者の属性（性別、生年月日等）に従って、健康情報項目ごとに重みを定め、健康度Ｈの総和を算出しても良い。
【０１２４】
健康度算出部１１０が、ステップＳ６０４５において健康情報項目の健康度Ｈに重み付けをすることによって、推奨スコア算出部１１１は、組み合わせＣｉに含まれる健康情報項目の健康に対する寄与の強さに従って推奨スコアを算出することができる。
【０１２５】
実施例１によれば、データ登録者の負担に基づく測定コストと、データ登録者の実際の健康状態に基づく健康度とによって推奨スコアを算出することによって、各データ登録者にとって低コストであり、かつ、データ登録者の健康に寄与する効果が高い健康情報項目の組み合わせをデータ登録者に推奨することが可能である。これによってデータ登録者は、適切な健康情報項目の組み合わせを選択、決定することができる。
【実施例２】
【０１２６】
実施例２では、健康情報を登録するデータ登録者と、データ登録者が登録した健康情報を購入するデータ購入者との両者が健康情報管理システム１０１を利用する例を説明する。実施例２におけるデータ購入者とは、データ登録者に対して健康情報に関するサービスを提案し、データ登録者から提供される健康情報の内容に応じて、金銭、ポイント、及び物品等の報酬を支払う者である。
【０１２７】
まず、図１を用いて、実施例２におけるシステム構成の一例を説明する。実施例２の健康情報管理システム１０１は、実施例１の健康情報管理システム１０１と同じく、健康情報登録部１０４、優先順位登録部１０５、健康情報項目提示部１１２、保存部１０６、及び、演算部１０７を有する。実施例２の健康情報管理システム１０１は、実施例１の構成に加え、報酬決定部１１５及びサービス提示部１１４を有する。実施例１で説明した構成については説明を割愛する。
【０１２８】
サービス登録部１１３は、データ購入者が提案するサービスを通信端末１０２を介して受け付け、保存部１０６に登録するためのインターフェイスを備える。サービス提示部１１４は、データ登録者及びデータ購入者に対して、登録されたサービスの内容を提示する。
【０１２９】
報酬決定部１１５は、特定のデータ登録者に対して、保存部１０６に保存される健康情報の内容に応じて、データ登録者に支払う報酬を決定する。報酬決定部１１５は、サービス登録部１１３から登録されたサービスの内容のうち、後述する報酬条件に基づいて報酬の内容を決定する。
【０１３０】
図９は、実施例２の健康情報管理システム１０１及び通信端末１０２による処理を示すシーケンス図である。
【０１３１】
実施例２の健康情報管理システム１０１は、データ購入者及びデータ登録者へサービスを提供するサービス提供者によって利用される。サービス提供者は、例えば、企業、自治体、及び、非営利団体等である。
【０１３２】
実施例２の通信端末１０２は、データ購入者とデータ登録者とによって利用される。データ購入者は、何らかの目的をもって健康情報を収集する者であり、例えば、企業、自治体及び非営利団体等である。なお、サービス提供者とデータ購入者とは同一の者であっても良い。
【０１３３】
データ登録者は、いわゆる一般消費者であり、日々の生活の中で自身の健康管理を目的として様々な健康情報を測定、取得する。データ登録者は、取得した健康情報を健康情報管理システム１０１に登録することによって、データのバックアップ及び可視化、並びに、測定する健康情報項目の提案など、様々なメリットを享受することができる。さらに、データ登録者は、実施例２で述べるように、自身の健康情報をサービス購入者へ提供することによって報酬を受けることができる。
【０１３４】
なお、図９の説明の前提として、データ購入者とデータ登録者とは、健康情報管理システム１０１によって提供される一連のサービスの会員登録を済ませており、データ購入者とデータ登録者との各々にＩＤ（データ購入者ＩＤ、データ登録者ＩＤ）が既に割り当てられている。また、会員登録において、データ購入者とデータ登録者とは、パスワードを健康情報管理システム１０１に登録する。
【０１３５】
また、図９に示す処理において、あらかじめ、図２に示すシーケンスＳ２０１及びＳ２０２が実行されている。
【０１３６】
まず、データ購入者は、健康情報管理システム１０１へ通信端末１０２を介してログインする（Ｓ９０１）。健康情報管理システム１０１は、データ購入者を認証する（Ｓ９０２）。認証する方法は、既存のいかなる方法であっても良い。
【０１３７】
シーケンスＳ９０２の後、データ購入者は、提案するサービス（提案サービス）の内容を入力し、サービス登録部１１３は、提案サービスの内容を受け付ける（Ｓ９０３）。提案サービスの内容とは、サービスを利用するためのｗｅｂ画面へのリンクであっても良いし、サービスによって提供される品物のリストであっても良い。
【０１３８】
提案サービスとは、いかなるサービスであっても良いが、データ登録者の健康情報に基づいて提供されるサービスであっても良い。サービス購入者が、購入した健康情報に基づいて提案サービスを提供することによって、データ登録者は、利便性の向上、健康増進のモチベーションの向上等を図ることができる。
【０１３９】
例えば、提案サービスは、データ購入者がサプリメント（栄養補助食品）メーカである場合、サプリメントを提供するサービスである。また、提案サービスは、例えばデータ購入者が健康機器メーカである場合、健康機器を貸し出すサービスである。
【０１４０】
実施例２の処理は、データ購入者が自社製品の効果効能を確認することを目的としてデータ登録者の健康情報を購入するための処理であるが、その他にもマーケティングの調査目的であっても良く、自治体の住民サービスの利用状況の調査目的であっても良い。
【０１４１】
シーケンスＳ９０３の後、サービス登録部１１３は、受け付けた提案サービスの内容を保存部１０６へ格納する（Ｓ９０４）。
【０１４２】
シーケンスＳ９０４の後、サービス提示部１１４は、データ登録者からの指示に従って、提供サービスの内容を、通信端末１０２を介して提示する（Ｓ９０５）。データ登録者は、提示される提案サービスの中から、自身が参加する提案サービスを選択し、選択した提案サービスを健康情報管理システム１０１へ入力する（Ｓ９０６）。なお、サービス登録部１１３は、データ登録者によって選択された提案サービスを、保存部１０６に格納することによって登録する。
【０１４３】
シーケンスＳ９０６の後、データ登録者は、シーケンスＳ２０３と同じく、自身の健康情報を健康情報管理システム１０１へ入力し、健康情報登録部１０４は、入力された健康情報を測定情報テーブル４１０に格納する（Ｓ９０７）。
【０１４４】
シーケンスＳ９０７の後、データ購入者は、データ登録者の健康情報を要求し、サービス提示部１１４は、要求された健康情報を通信端末１０２を介してデータ購入者に提供する（Ｓ９０８）。ここで、サービス提示部１１４は、データ購入者が決定した頻度に従って健康情報を通信端末１０２を介してデータ購入者に提供しても良い。
【０１４５】
シーケンスＳ９０８の後、サービス提示部１１４は、例えば毎月決まったタイミングで、健康情報の対価となる報酬の情報をサービス購入者に提示する（Ｓ９０９）。データ購入者は、シーケンスＳ９０９において提示された報酬の情報に従って、データ登録者に報酬を支払う。ここで、サービス提示部１１４は、報酬決定部１１５から取得した報酬を通信端末１０２に出力する。
【０１４６】
なお、報酬決定部１１５は、いかなる方法によって報酬を算出しても良い。報酬決定部１１５は、例えば、データ購入者が決定した頻度によってデータ購入者に提供される健康情報の量に、所定の報酬単価を乗じることによって１回の提供における報酬を算出し、健康情報が提供された回数分の報酬の総和を、データ購入者に提示する報酬として決定しても良い。ここで、頻度及び報酬単価は、ステップＳ９０６において入力された提案サービスに従って定められる。
【０１４７】
報酬決定部１１５が、購入された健康情報の報酬を決定することによって、購入された健康情報に基づいてデータ登録者への報酬を正確に算出でき、データ購入者の利便性が高まる。また、サービス提示部１１４がサービスをデータ登録者に提示するため、データ登録者がサービスに参加しやすくなり、データ購入者がより多くのデータ登録者から健康情報を購入することができる。
【０１４８】
図１０は、実施例２のデータ購入者がサービス登録部１１３へ提案サービスを登録するための画面１０００を示す説明図である。
【０１４９】
データ購入者は、図１０に示す画面１０００を用いてサービスをデータ登録者へ提案し、サービスの参加者を募集することができる。画面１０００は、図９のシーケンスＳ９０３のように提案サービスの内容を新規に登録する場合、既に提案済みの提案サービスの内容を修正する場合に用いられる。
【０１５０】
画面１０００は、サービス名称１００１、対象者条件１００２、及び、健康情報項目条件１００３を含む。サービス名称１００１は、サービスの名称を入力するエリアであり、提案サービスを一意に特定するための文字列である。
【０１５１】
対象者条件１００２は、性別及び年齢など、データ購入者が購入したい健康情報を登録するデータ登録者を限定するための情報を入力するエリアである。また、対象者条件１００２は、サービスの目的、内容等のサービスの詳細を入力するためのエリアを含む。
【０１５２】
サービス提示部１１４は、データ登録者の登録者情報テーブル４００に格納される属性と、対象者条件１００２とが該当するサービスを、シーケンスＳ９０５においてデータ登録者に提示する。
【０１５３】
健康情報項目条件１００３は、データ購入者が購入したい健康情報項目、購入する頻度、及び、報酬単価１００４等の報酬条件を入力するエリアである。
【０１５４】
報酬単価１００４は、各健康情報項目の１回分の測定によって得られた測定情報を購入する場合に、データ購入者がデータ登録者へ支払う報酬額である。報酬決定部１１５は、健康情報項目条件１００３によって入力された頻度、及び、報酬単価１００４に基づいて、ステップＳ９０９において報酬を算出する。
【０１５５】
さらに、実施例２の測定コスト算出部１０９は、測定コストテーブル５１０及び報酬単価１００４に基づいて、測定コストの総和を算出する。実施例１の測定コスト算出部１０９は、測定時間５１２の値を用いたが、実施例２の測定コスト算出部１０９は、ステップＳ６０３において測定コストを算出する際、ランニングコスト５１３の値から報酬単価を減算し、減算結果を金銭的なコストパフォーマンスを示す測定コストとして算出する。
【０１５６】
これによって、健康情報項目提示部１１２は、報酬を含む金銭的なコストパフォーマンスを考慮した健康情報項目の組み合わせをデータ登録者へ提案できる。ここで、ランニングコスト５１３は１回分の測定あたりの支出であり、報酬単価は１回分の測定あたりの収入である。このため、測定コスト算出部１０９が、ランニングコスト５１３の値から報酬単価を減算した後、図６に示すフローを実行することにより、推奨スコア算出部１１１が報酬単価まで考慮した推奨スコアＳを算出することができる。
【０１５７】
そして、報酬単価が高いほど、金銭的なコスト及び測定コストが低下し、そして、高い推奨スコアＳが算出されるため、健康情報項目提示部１１２は、報酬が得られる健康情報項目を含む組み合わせを、より強く推奨できる。
【０１５８】
実施例２によれば、各データ登録者にとって測定コストが金銭的に低コストであり、かつ、健康に寄与する効果が高い健康情報項目の組み合わせをデータ登録者に提示することが可能である。これによってデータ登録者は、適切な健康情報項目の組み合わせを選択、決定することができる。
【０１５９】
なお、本発明は上記した実施例に限定されるものではなく、様々な変形例が含まれる。例えば、上記した実施例は本発明を分かりやすく説明するために詳細に説明したものであり、必ずしも説明したすべての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加、削除又は置換をすることが可能である。
【０１６０】
また、上記の各構成、機能及び処理部等は、それらの一部又は全部を、例えば集積回路で設計する等によりハードウェアで実現しても良い。また、上記の各構成、機能等は、プロセッサがそれぞれの機能を実現するプログラムを解釈し、実効することによりソフトウェアで実現しても良い。各機能を実現するプログラム、テーブル又はファイル等の情報は、メモリ、ハードディスク、若しくはＳＳＤ（Ｓｏｌｉｄ  Ｓｔａｔｅ  Ｄｒｉｖｅ）等の記録装置、又は、ＩＣカード、若しくはＳＤカード等の記録媒体に置くことができる。
【０１６１】
また、制御線及び情報線は説明上必要と考えられるものを示しており、製品上必ずしもすべての制御線や情報線を示しているとは限らない。実際には殆どすべての構成が相互に接続されていると考えても良い。
【符号の説明】
【０１６２】
１０１  健康情報管理システム
１０２  通信端末
１０３  ネットワーク
１０４  健康情報登録部
１０５  優先順位登録部
１０６  保存部
１０７  演算部
１０８  健康情報項目群生成部
１０９  測定コスト算出部
１１０  健康度算出部
１１１  推奨スコア算出部
１１２  健康情報項目提示部
１１３  サービス登録部
１１４  サービス提示部
１１５  報酬決定部
【図１】
2016177569.tif 000003
【図２】
2016177569.tif 000004
【図３】
2016177569.tif 000005
【図４Ａ】
2016177569.tif 000006
【図４Ｂ】
2016177569.tif 000007
【図５Ａ】
2016177569.tif 000008
【図５Ｂ】
2016177569.tif 000009
【図６】
2016177569.tif 000010
【図７】
2016177569.tif 000011
【図８】
2016177569.tif 000012
【図９】
2016177569.tif 000013
【図１０】
2016177569.tif 000014